(57)【特許請求の範囲】
【請求項１】
被写体像を撮像して親画像を生成する撮像部と、
前記親画像を低解像度化または減色化して、転送用の子画像を生成する子画像生成部と、
前記子画像を外部転送先へ転送する転送部と、
画像または画像に関する情報を表示する表示部とを備え、
前記表示部は、前記親画像と前記子画像とを選別し、前記子画像を非表示とする
ことを特徴とする電子カメラ。
【請求項２】
被写体像を撮像して親画像を生成する撮像部と、
前記親画像を低解像度化または減色化して、転送用の子画像を生成する子画像生成部と、
前記子画像を外部転送先へ転送する転送部と、
画像または画像に関する情報を表示する表示部とを備え、
前記表示部は、前記子画像の表示にあたり、前記子画像の画像サイズを情報表示する
ことを特徴とする電子カメラ。
【請求項３】
被写体像を撮像して親画像を生成する撮像部と、
前記親画像を低解像度化または減色化して、転送用の子画像を生成する子画像生成部と、
前記子画像を外部転送先へ転送する転送部と、
画像または画像に関する情報を表示する表示部とを備え、
前記表示部は、前記親画像の表示中に所定のユーザー操作が為されると前記子画像を表示し、かつ同一の前記親画像から生成された前記子画像が複数存在する場合には、前記ユーザー操作に従って画像サイズ順に前記子画像を順次表示する
ことを特徴とする電子カメラ。
【請求項４】
被写体像を撮像して親画像を生成する撮像部と、
前記親画像を低解像度化または減色化して、転送用の子画像を生成する子画像生成部と、
前記子画像を外部転送先へ転送する転送部と、
画像または画像に関する情報を表示する表示部とを備え、
前記表示部は、非表示設定された前記親画像については、その親画像から生成された前記子画像も非表示とする
ことを特徴とする電子カメラ。
【請求項５】
被写体像を撮像して親画像を生成する撮像部と、
前記親画像を低解像度化または減色化して、転送用の子画像を生成する子画像生成部と、
前記子画像を外部転送先へ転送する転送部と、
画像または画像に関する情報を表示する表示部とを備え、
前記表示部は、前記親画像と前記子画像を識別し、前記親画像と前記子画像を画面上に同時に表示しない
ことを特徴とする電子カメラ。
【請求項６】
被写体像を撮像して親画像を生成する撮像部と、
前記親画像を低解像度化または減色化して、転送用の子画像を生成する子画像生成部と、
前記子画像を外部転送先へ転送する転送部と、
複数の画像を自動的に順次表示するスライド表示部とを備え、
前記スライド表示部は、前記親画像と前記子画像とを選別し、前記親画像のみを自動的に順次表示する
ことを特徴とする電子カメラ。
【発明の詳細な説明】
【０００１】
【発明の属する技術分野】
本発明は、電子カメラに関する。特に、本発明は、電子カメラ内において外部転送用として生成される子画像の画像表示に関する。
【０００２】
【従来の技術】
近年、電子カメラの撮像画素数は、ますます増加する傾向にある。このような撮像画素数の増加に伴い、電子カメラ内で生成される画像のファイル容量は、圧縮後においても１Ｍバイト以上となる。
【０００３】
【発明が解決しようとする課題】
ところで、電子カメラで生成された画像は、パソコン、プリンタ、大容量記録装置、携帯電話、およびインターネット上の電子アルバムサーバーなどに随時出力される。
このような外部転送先に、例えば１コマ当たり１Ｍバイト以上の画像を転送する場合、転送時間が長くかかるといった問題が生じる。
【０００４】
また例えば、携帯電話などは、パソコンやプリンタなどに比べて、取り扱う画像の画素数が極端に少ない。そのため、携帯電話に対して、パソコンやプリンタと同程度の画素数で画像を転送した場合、携帯電話側で容量オーバーを生じるなど無駄が多い。
そのため、電子カメラ内において、外部転送用に容量を低減した子画像を予め生成することが望まれる。この場合、電子カメラ内の記録部には、子画像と、その生成元である親画像とが混在することとなる。
【０００５】
このような親子画像が混在することにより、電子カメラ側で管理すべき画像の数は増加し、電子カメラの画像管理が一段と複雑化することが懸念される。
また、これらの親子画像は同一絵柄であるため、ユーザーが、液晶モニタなどの小さな画面上で簡易に区別することは難しく、画像管理に当たってユーザーが混乱するという事態も心配される。
そこで、本発明は、上述したような問題点に鑑みて、親画像と子画像との識別を容易にする画像表示技術を提供することを目的とする。
【０００６】
【課題を解決するための手段】
上述した課題を解決するため、本発明は下記のように構成される。
【０００７】
《請求項１》
請求項１の電子カメラは、被写体像を撮像して親画像を生成する撮像部と、親画像を低解像度化または減色化して、転送用の子画像を生成する子画像生成部と、子画像を外部転送先へ転送する転送部と、画像または画像に関する情報を表示する表示部とを備え、表示部は、親画像と子画像とを選別し、子画像を非表示とすることを特徴とする。
【０００８】
《請求項２》
請求項２の電子カメラは、被写体像を撮像して親画像を生成する撮像部と、親画像を低解像度化または減色化して、転送用の子画像を生成する子画像生成部と、子画像を外部転送先へ転送する転送部と、画像または画像に関する情報を表示する表示部とを備え、表示部は、子画像の表示にあたり、子画像の画像サイズを情報表示することを特徴とする。
【０００９】
《請求項３》
請求項３の電子カメラは、被写体像を撮像して親画像を生成する撮像部と、親画像を低解像度化または減色化して、転送用の子画像を生成する子画像生成部と、子画像を外部転送先へ転送する転送部と、画像または画像に関する情報を表示する表示部とを備え、表示部は、親画像の表示中に所定のユーザー操作が為されると子画像を表示し、かつ同一の親画像から生成された子画像が複数存在する場合には、ユーザー操作に従って画像サイズ順に子画像を順次表示することを特徴とする。
【００１０】
《請求項４》
請求項４の電子カメラは、被写体像を撮像して親画像を生成する撮像部と、親画像を低解像度化または減色化して、転送用の子画像を生成する子画像生成部と、子画像を外部転送先へ転送する転送部と、画像または画像に関する情報を表示する表示部とを備え、表示部は、非表示設定された親画像については、その親画像から生成された子画像も非表示とすることを特徴とする。
【００１１】
《請求項５》
請求項５の電子カメラは、被写体像を撮像して親画像を生成する撮像部と、親画像を低解像度化または減色化して、転送用の子画像を生成する子画像生成部と、子画像を外部転送先へ転送する転送部と、画像または画像に関する情報を表示する表示部とを備え、表示部は、親画像と子画像を識別し、親画像と子画像を画面上に同時に表示しないことを特徴とする。
【００１２】
《請求項６》
請求項６の電子カメラは、被写体像を撮像して親画像を生成する撮像部と、親画像を低解像度化または減色化して、転送用の子画像を生成する子画像生成部と、子画像を外部転送先へ転送する転送部と、複数の画像を自動的に順次表示するスライド表示部とを備え、スライド表示部は、親画像と子画像とを選別し、親画像のみを自動的に順次表示することを特徴とする。
【００１３】
【発明の実施の形態】
以下、図面に基づいて本発明にかかる実施形態を説明する。
【００１４】
《第１の実施形態》
第１の実施形態は、請求項１，５の発明に対応する電子カメラの実施形態である。
【００１５】
［電子カメラの構成説明］
図１は、この電子カメラ１１の外観図である。なお、図１（ａ）は電子カメラ１１の上面図であり、図１（ｂ）は電子カメラ１１の背面図である。一方、図２は、電子カメラ１１の内部構成を説明するブロック図である。
以下、この図１および図２を参照して、電子カメラ１１の構成を説明する。
【００１６】
まず、電子カメラ１１には、撮影レンズ１２が装着される。この撮影レンズ１２の像空間には、撮像素子１３が配置される。この撮像素子１３は、タイミングジェネレータ１３ａにより制御され、被写体像を撮像する。この撮像素子１３で撮像された画像（すなわち親画像）は、画像処理部１４およびＡ／Ｄ変換部１５を介してデジタル化された後、デジタルシグナルプロセッサ（以下ＤＳＰ）１６に与えられる。このＤＳＰ１６は、データバス１７を介してバッファメモリ１８およびメモリカード１９に接続される。ＤＳＰ１６は、このバッファメモリ１８との間で画像データをやり取りしながら、親画像に２次元画像処理や画像圧縮などを施す。ＤＳＰ１６で処理された親画像は、ＥＸＩＦファイルの形式でメモリカード１９に記録される。
【００１７】
一方、上述したタイミングジェネレータ１３ａ、画像処理部１４、ＤＳＰ１６、バッファメモリ１８およびメモリカード１９は、制御用のシステムバス２０を介して、マイクロプロセッサ（以下ＭＰＵ）２１に接続される。
このＭＰＵ２１には、レリーズ釦２２、十字釦２３、メニュー釦２４、コマンドダイヤル２５、ズーム釦２６、表示切換釦２７、転送釦２８、子画像作成釦２９、および確定キー２９ａが接続される。
【００１８】
なお、上述した十字釦２３は、上キー２３ａ、下キー２３ｂ、左キー２３ｃおよび右キー２３ｄからなる４方向キーから構成される。
また、上述したシステムバス２０には、フレームメモリ３０が接続される。このフレームメモリ３０内の画像データは、電子カメラ１１の背面に設けられた液晶表示部３１に表示される。
さらに、上述したシステムバス２０には、転送釦２８の操作により外部転送先に画像データを転送するインターフェース３２が接続される。
【００１９】
［発明との対応関係］
以下、発明と第１の実施形態との対応関係について説明する。なお、ここでの対応関係は、参考のために一解釈を例示するものであり、本発明を徒らに限定するものではない。
請求項記載の撮像部は、撮像素子１３、タイミングジェネレータ１３ａ、画像処理部１４、Ａ／Ｄ変換部１５およびＤＳＰ１６に対応する。
請求項記載の子画像生成部は、ＭＰＵ２１（あるいはＤＳＰ１６）の「子画像を生成する機能」に対応する。
請求項記載の転送部は、インターフェース３２に対応する。
請求項記載の表示部は、ＭＰＵ２１および液晶表示部３１に対応する。
【００２０】
［全画面表示モードの動作説明］
図３は、第１の実施形態における全画面表示モードの動作を説明する流れ図である。以下、図３のステップ番号に沿って、全画面表示モードの動作を説明する。
【００２１】
ステップＳ１：  まず、ユーザーがコマンドダイヤル２５を回して再生モードを選択する。さらに、ユーザーは、必要に応じて表示切換釦２７を操作し、全画面表示モードを選択する。
このように全画面表示モードが選択されると、ＭＰＵ２１は、全画面表示するコマ番号を選ぶ。
例えば、撮像後であれば、ＭＰＵ２１は、最後のコマ番号（すなわち直前に撮影したコマ番号）を、全画面表示するコマ番号に選ぶ。
また例えば、再生後であれば、ＭＰＵ２１は、最後に再生したコマ番号を、全画面表示するコマ番号に選ぶ。
【００２２】
ステップＳ２：  ＭＰＵ２１は、選んだコマ番号とファイル名規則とに基づいて、選んだコマ番号に該当する親画像のファイル名を生成する。
例えば、ＭＰＵ２１は、親画像のファイル名規則が「DSCN****.jpg」の場合、通し番号「****」にコマ番号を挿入することにより、親画像のファイル名を生成する。
【００２３】
ステップＳ３：  ＭＰＵ２１は、生成したファイル名に基づいて、メモリカード１９から親画像の圧縮ファイルを読み出し、バッファメモリ１８に格納する。ＤＳＰ１６は、この圧縮ファイルを伸張後、液晶表示部３１の画面サイズに合わせて解像度変換し、フレームメモリ３０に格納する。液晶表示部３１は、このフレームメモリ３０内の親画像（モニタ画面の画面サイズに合わせて変換されたもの）を全画面表示する。
【００２４】
ステップＳ４：  ＭＰＵ２１は、表示中の親画像が、転送用の子画像を有するか否かを判定する。
例えば、ＭＰＵ２１は、子画像のファイル名規則が「SSCN****.jpg」の場合、親画像のファイル名の頭文字を「D」から「S」に変更して、子画像のファイル名を生成する。ＭＰＵ２１は、この子画像のファイル名をメモリカード１９内で探索することにより、親画像が子画像を有するか否かを判断する。
ここで、親画像が子画像を有する場合、ＭＰＵ２１はステップＳ５に動作を移行する。
一方、該当する子画像が存在しない場合、ＭＰＵ２１はステップＳ６に動作を移行する。
【００２５】
ステップＳ５：  ＭＰＵ２１は、図５に示すように「子画像有り」を示す情報表示を、フレームメモリ３０を介して、液晶表示部３１にオーバーラップ表示する。
このような情報表示の後、ＭＰＵ２１は、ステップＳ６に動作を移行する。
【００２６】
ステップＳ６：  ＭＰＵ２１は、この全画面表示の状態（図５）で、ユーザーによるキー操作を待機する。
ここで、ユーザーが左キー２３ｃまたは右キー２３ｄを押すと、ＭＰＵ２１は、ステップＳ７に動作を移行する。
一方、ユーザーが子画像作成釦２９を押すと、ＭＰＵ２１はステップＳ８に動作を移行する。
【００２７】
ステップＳ７：  ここで、右キー２３ｄが押された場合、ＭＰＵ２１は、全画面表示するコマ番号を循環式に１つ進める。
一方、左キー２３ｃが押された場合、ＭＰＵ２１は、全画面表示するコマ番号を循環式に１つ戻す。
このようなコマ番号の変更の後、ＭＰＵ２１はステップＳ２に動作を戻す。
【００２８】
ステップＳ８：  ＭＰＵ２１は、下記の確認メニューを、液晶表示部３１の表示画像にオーバーラップ表示する。
見出し『子画像を生成しますか？』
選択肢▲１▼  はい（デフォルト選択）
選択肢▲２▼  いいえ
選択肢▲３▼  縮小サイズを変更する。
【００２９】
ステップＳ９：  ＭＰＵ２１は、十字釦２３のユーザー操作を監視することにより、上記の選択肢▲１▼〜▲３▼の選択を受け付ける。
すなわち、ユーザーが右キー２３ｄを１回打つと、選択肢▲１▼が確定する。この場合、ＭＰＵ２１はステップＳ１２に動作を移行する。
また、ユーザーが下キー２３ｂを１回打った後、右キー２３ｄを１回打つと、選択肢▲２▼が確定する。この場合、ＭＰＵ２１は子画像の新規作成を中止してステップＳ６に動作を戻す。
一方、ユーザーが下キー２３ｂを２回打った後、右キー２３ｄを１回打つと、選択肢▲３▼が確定する。この場合、ＭＰＵ２１はステップＳ１０に動作を移行する。
【００３０】
ステップＳ１０：  ＭＰＵ２１は、下記のような確認メニューを、液晶表示部３１の表示画像に追加表示する。
見出し『縮小サイズを変更する』
選択肢▲１▼  ６４０×４８０（出荷時のデフォルト）
選択肢▲２▼  ３２０×２４０
選択肢▲３▼  １６０×１２０
選択肢▲４▼  ９６×７２
【００３１】
ステップＳ１１：  ＭＰＵ２１は、十字釦２３のユーザー操作を監視することにより、子画像の画像サイズ（縮小サイズのこと）の選択を受け付ける。ＭＰＵ２１は、ここで選択された画像サイズを、以後デフォルトとして使用する。このような動作の後、ＭＰＵ２１はステップＳ８に動作を戻す。
【００３２】
ステップＳ１２：  ＭＰＵ２１は、液晶表示部３１に現在表示中の親画像の圧縮ファイルをメモリカード１９から読み出し、バッファメモリ１８に格納する。ＤＳＰ１６は、この圧縮ファイルを伸張して親画像をバッファメモリ１８内に展開する。（なお、ステップＳ３における伸張画像がバッファメモリ１８内に残存している場合はこれを使用し、親画像の伸張動作を省略することが好ましい）
ＭＰＵ２１（あるいはＤＳＰ１６）は、このバッファメモリ１８内の親画像をデフォルトの画像サイズに解像度変換し、子画像を作成する。
ＤＳＰ１６は、この子画像を、親画像の圧縮率に係わらず、例えば１／１６程度に圧縮する。
ＭＰＵ２１は、親画像のヘッダ情報をコピーして、子画像の圧縮データに付加し、ＥＸＩＦ形式の圧縮ファイルを生成する。
さらに、ＭＰＵ２１は、親画像のファイル名『ＤＳＣＮ＊＊＊＊.ｊｐｇ』の頭文字を、画像サイズに応じた文字（例えば『Ｓ』など）に置換して、子画像のファイル名とする。
ＭＰＵ２１は、このように完成した子画像のファイルを、メモリカード１９の親画像と同一のフォルダー内に記録する。
このような動作の後、ＭＰＵ２１は、ステップＳ６に動作を戻す。
以上説明した一連の動作により、全画面表示の動作が実行される。
【００３３】
［サムネイル表示モードの動作説明］
図４は、サムネイル表示モードの動作を説明する流れ図である。
続いて、図４のステップ番号に沿って、サムネイル表示モードの動作を説明する。
【００３４】
ステップＳ２１：  まず、ユーザーはコマンドダイヤル２５を回して再生モードを選択する。さらに、ユーザーは、必要に応じて表示切換釦２７を操作し、サムネイル表示モードを選択する。
このようにサムネイル表示モードが選択されると、ＭＰＵ２１は、フォーカス位置（サムネイル表示される画像群の中でフォーカス選択される親画像のこと）のコマ番号を決定する。
例えば、撮像後であれば、ＭＰＵ２１は、最後のコマ番号（すなわち直前に撮影したコマ番号）を、フォーカス位置のコマ番号に選ぶ。
また例えば、再生後であれば、ＭＰＵ２１は、最後に再生したコマ番号を、フォーカス位置のコマ番号に選ぶ。
【００３５】
ステップＳ２２：  選んだコマ番号とファイル名規則とに基づいて、サムネイル表示する親画像群のファイル名を生成する。
【００３６】
ステップＳ２３：  ＭＰＵ２１は、これらファイル名をメモリカード１９から探索し、各ファイルのヘッダ部分などに格納されるサムネイル画像を順次に読み出す。ＭＰＵ２１は、これらのサムネイル画像を、フレームメモリ３０を介して液晶表示部３１に一覧表示する。
【００３７】
ステップＳ２４：  ＭＰＵ２１は、画面上の親画像が子画像を有するか否かをファイル名規則に基づいて判定する。ＭＰＵ２１は、子画像を有する親画像については、図６に示すように、対応するサムネイル画像の上に「子画像有り」の情報を表示する。
【００３８】
ステップＳ２５：  ＭＰＵ２１は、このサムネイル表示の状態で、ユーザーによるキー操作を待機する。
ここで、ユーザーが子画像作成釦２９を押すと、ＭＰＵ２１は、ステップＳ２６に動作を移行する。
一方、ユーザーが十字釦２３を操作すると、ＭＰＵ２１は、ステップＳ２７に動作を移行する。
また、ユーザーが確定キーを押すと、ＭＰＵ２１はステップＳ３１に動作を移行する。
【００３９】
ステップＳ２６：  ここで、子画像作成釦２９が押された場合、ＭＰＵ２１は、図６に示すように、フォーカス位置のサムネイル画像の上に、子画像の作成予定マークを表示する。さらに、ＭＰＵ２１は、このフォーカス位置のコマ番号を、内部メモリ上に作成される子画像作成の予定リストに追加する。このような動作の後、ＭＰＵ２１はステップＳ２５に動作を戻す。
【００４０】
ステップＳ２７：  ＭＰＵ２１は、十字釦２３のユーザー操作を判別する。
ここで、ユーザーにより下キー２３ｂが押された場合、ＭＰＵ２１はステップＳ２８に動作を移行する。
一方、ユーザーにより左キー２３ｃまたは右キー２３ｄが押された場合、ＭＰＵ２１はステップＳ２９に動作を移行する。
【００４１】
ステップＳ２８：  ＭＰＵ２１は、フォーカス位置の親画像について子画像を探索し、この子画像の画像サイズを、フォーカス位置のサムネイル画像の上に情報表示する（図６参照）。
なお、フォーカス位置の親画像が複数の子画像を有する場合、ＭＰＵ２１は、下キー２３ｂが押されるたびに、子画像の画像サイズを順番に表示する。
このような動作の後に、ＭＰＵ２１はステップＳ２５に動作を戻す。
【００４２】
ステップＳ２９：  右キー２３ｄが押された場合、ＭＰＵ２１はフォーカス位置を１つ進める。
一方、左キー２３ｃが押された場合、ＭＰＵ２１は、フォーカス位置を１つ戻す。
【００４３】
ステップＳ３０：  このようなフォーカス位置の移動に伴って、ＭＰＵ２１は、フォーカス位置がサムネイル表示の範囲外に移動したか否かを判断する。
ここで、フォーカス位置がサムネイル表示の範囲内の移動の場合、ＭＰＵ２１は、ステップＳ２５に動作を戻す。
一方、フォーカス位置がサムネイル表示の範囲外にはみ出した場合、ＭＰＵ２１は、ステップＳ２２まで動作を戻し、サムネイル表示を更新する。
【００４４】
ステップＳ３１：  確定キー２９ａが押された場合、ＭＰＵ２１は、下記の確認メニューを、液晶表示部３１にオーバーラップ表示する。
見出し『子画像を生成しますか？』
選択肢▲１▼  はい（デフォルト選択）
選択肢▲２▼  いいえ
選択肢▲３▼  縮小サイズを変更する。
【００４５】
ステップＳ３２：  ＭＰＵ２１は、十字釦２３のユーザー操作を監視することにより、上記の選択肢▲１▼〜▲３▼の選択を受け付ける。
ここで、選択肢▲１▼が選択されると、ＭＰＵ２１はステップＳ３５に動作を移行する。
また、選択肢▲２▼が選択されると、ＭＰＵ２１は子画像の新規作成をキャンセルしてステップＳ２５に動作を戻す。
一方、選択肢▲３▼が選択されると、ＭＰＵ２１はステップＳ３３に動作を移行する。
【００４６】
ステップＳ３３：  ＭＰＵ２１は、下記のような確認メニューを、液晶表示部３１の表示画像に追加表示する。
見出し『縮小サイズを変更する』
選択肢▲１▼  ６４０×４８０（出荷時のデフォルト）
選択肢▲２▼  ３２０×２４０
選択肢▲３▼  １６０×１２０
選択肢▲４▼  ９６×７２
【００４７】
ステップＳ３４：  ＭＰＵ２１は、十字釦２３のユーザー操作を監視することにより、子画像の画像サイズ（縮小サイズのこと）の選択を受け付ける。ＭＰＵ２１は、ここで選択された画像サイズを、以後デフォルトとして使用する。このような動作の後、ＭＰＵ２１はステップＳ３１に動作を戻す。
【００４８】
ステップＳ３５：  ＭＰＵ２１は、作成予定マーク付きの親画像（子画像作成の予定リストに載っている親画像）から子画像を順次に作成し、メモリカード１９に順次記録する。
このような動作の後、ＭＰＵ２１は、ステップＳ２５に動作を戻す。
【００４９】
［第１の実施形態の効果など］
上述したように、第１の実施形態では、ファイル名規則に基づいて親画像と子画像と選別し、親画像のみを液晶表示部３１に表示する。したがって、親画像と同一絵柄の子画像が、入り交じって表示されるおそれがなく、ユーザーが画像管理の上で混乱するといった事態を確実に防止することができる。
【００５０】
また、親画像のみを表示対象とすることで、表示対象の画像の数が減少する。したがって、ユーザーは、少ない画像の中から、目的の画像（絵柄）を迅速に見つけ出すことが可能になる。
【００５１】
さらに、サムネイル表示モードにおいても、親画像のみを表示することとし、親画像と子画像を画面上に同時表示しない。したがって、同一絵柄の親画像と子画像とが画面上に混在し、ユーザーが画像管理の上で混乱する事態を確実に防止することができる。
次に別の実施形態について説明する。
【００５２】
《第２の実施形態》
第２の実施形態は、請求項２〜６の発明に対応する電子カメラの実施形態である。
なお、第２の実施形態における電子カメラの構成は、第１の実施形態（図１、図２）と同様のため、ここでの構成説明を省略する。また、第１の実施形態と同様の動作（サムネイル表示モードの動作など）についても、重複記載を避けるため、説明を省略する。
【００５３】
［発明との対応関係］
以下、発明と第２の実施形態との対応関係について説明する。なお、ここでの対応関係は、参考のために一解釈を例示するものであり、本発明を徒らに限定するものではない。
請求項記載の撮像部は、撮像素子１３、タイミングジェネレータ１３ａ、画像処理部１４、Ａ／Ｄ変換部１５およびＤＳＰ１６に対応する。
請求項記載の子画像生成部は、ＭＰＵ２１（あるいはＤＳＰ１６）の「子画像を生成する機能」に対応する。
請求項記載の転送部は、インターフェース３２に対応する。
請求項記載の表示部は、ＭＰＵ２１および液晶表示部３１に対応する。
請求項記載のスライド表示部は、ＭＰＵ２１および液晶表示部３１に対応する。
【００５４】
［全画面表示モードの動作説明］
図７は、第２の実施形態における全画面表示モードの動作を説明する流れ図である。この図７において、第１の実施形態（図３）と同じ動作には、同一のステップ番号を付与し、ここでの重複説明を省略する。
図７に示す全画面表示モードの動作上の特徴点は、ステップＳ４１〜Ｓ４３を新たに追加した点である。以下、この追加部分について説明する。
【００５５】
ステップＳ４１：  ＭＰＵ２１は、表示予定の親画像のファイル属性をメモリカード１９から読み出し、非表示設定が為されているか否かを判定する。
ここで、親画像に非表示設定が為されている場合、ＭＰＵ２１はステップＳ４２に動作を移行する。
一方、親画像に非表示設定が為されていない場合（表示許可されている場合）、ＭＰＵ２１はステップＳ３に動作を移行する。
【００５６】
ステップＳ４２：  ＭＰＵ２１は、表示予定のコマ番号を循環式に１つ進め、非表示設定の親画像（および子画像）が画面上に表示されないようにする。このような動作の後、ＭＰＵ２１はステップＳ２に動作を戻す。
【００５７】
ステップＳ４３：  ステップＳ６において下キー２３ｂが押圧されると、ＭＰＵ２１は、親画像のファイル名『ＤＳＣＮ＊＊＊＊.ｊｐｇ』の頭文字を、画像サイズに応じた文字（例えば『Ｓ』など）に置換して、子画像のファイル名を作成する。ＭＰＵ２１は、この子画像をメモリカード１９内で探索する。この子画像が見つかると、ＭＰＵ２１は、この子画像をメモリカード１９から読み出し、図８に示すように、この子画像の表示４２を親画像の全画面表示４１に重ねて表示する。このとき、ＭＰＵ２１は、この子画像の画像サイズを示すアイコン４３も併せて情報表示する。
なお、下キー２３ｂが複数回押された場合、ＭＰＵ２１は、複数の子画像を画像サイズの大きい順に順次表示する。図８は、このような動作により、複数の子画像が入れ子状の表示された状態を示している。
【００５８】
［スライド表示モードの動作説明］
図９は、第２の実施形態におけるスライド表示モードの動作を説明する流れ図である。以下、図９のステップ番号に沿って、スライド表示モードの動作を説明する。
【００５９】
ステップＳ６１：  まず、ユーザーがコマンドダイヤル２５を回して再生モードを選択する。さらに、ユーザーは、必要に応じて表示切換釦２７を操作し、スライド表示モードを選択する。
このようにスライド表示モードが選択されると、ＭＰＵ２１は、メモリカード１９内からスライド表示の先頭コマ番号を選び出し、コマ番号Ｎに代入する。
【００６０】
ステップＳ６２：  コマ番号Ｎとファイル名規則とに基づいて、コマ番号Ｎに該当する親画像のファイル名を生成する。
例えば、ＭＰＵ２１は、親画像のファイル名規則が「DSCN****.jpg」の場合、通し番号「****」にコマ番号を入れることにより、親画像のファイル名を生成する。
【００６１】
ステップＳ６３：  ＭＰＵ２１は、生成した親画像のファイル名に基づいてメモリカード１９からファイル属性を情報取得し、親画像に非表示設定が為されているか否かを判定する。
ここで、親画像に非表示設定が為されている場合、ＭＰＵ２１はステップＳ６４に動作を移行する。
一方、親画像に非表示設定が為されていない場合（表示許可されている場合）、ＭＰＵ２１はステップＳ６５に動作を移行する。
【００６２】
ステップＳ６４：  ＭＰＵ２１は、表示予定のコマ番号を循環式に１つ進め、非表示設定の親画像が画面上に表示されないようにする。このような動作の後、ＭＰＵ２１はステップＳ６２に動作を戻す。
【００６３】
ステップＳ６５：  ＭＰＵ２１は、生成した親画像のファイル名に基づいて、メモリカード１９から親画像の圧縮ファイルを読み出し、バッファメモリ１８に格納する。ＤＳＰ１６は、この圧縮ファイルを伸張後、液晶表示部３１の画面サイズに合わせて解像度変換し、フレームメモリ３０に格納する。液晶表示部３１は、このフレームメモリ３０内の親画像（モニタ画面の画面サイズに合わせて変換されたもの）を表示する。
【００６４】
ステップＳ６６：  ＭＰＵ２１は、表示中の親画像が、転送用の子画像を有するか否かを判定する。
ここで、表示中の親画像が子画像を有する場合、ＭＰＵ２１はステップＳ６７に動作を移行する。
一方、表示中の親画像が子画像を持たない場合、ＭＰＵ２１はステップＳ６８に動作を移行する。
【００６５】
ステップＳ６７：  ＭＰＵ２１は、「子画像有り」を示す情報表示を、フレームメモリ３０を介して、液晶表示部３１にオーバーラップ表示する。このような情報表示の後、ＭＰＵ２１は、ステップＳ６８に動作を移行する。
【００６６】
ステップＳ６８：  ＭＰＵ２１は、１コマ分のスライド表示時間の経過を待ち、ステップＳ６９に動作を移行する。
【００６７】
ステップＳ６９：  ＭＰＵ２１は、現在のコマ番号Ｎが、メモリカード１９内の最終のコマ番号か否かを判定する。
ここで、現在のコマ番号Ｎが最終コマ番号と異なる場合、ＭＰＵ２１はステップＳ６４に動作を戻す。
一方、現在のコマ番号Ｎが最終のコマ番号の場合、スライド表示動作を終了する。
【００６８】
［第２の実施形態の効果など］
上述したように、第２の実施形態では、図８に示すように、子画像の画像サイズを情報表示する。したがって、ユーザーは、同一絵柄の親画像と子画像とを、画像サイズの情報から適切に判別することが可能になる。
【００６９】
また、第２の実施形態では、親画像の全画面表示中に、下キー２３ｂが押されると、子画像を画像サイズの大きい順番に表示する。この場合、ユーザーは、親画像と子画像とを表示順序から適切に判別することが可能になる。
【００７０】
さらに、第２の実施形態では、親画像が非表示に設定されている場合、親画像と共に子画像も非表示とする。したがって、ユーザーは、子画像の非表示設定を別途行う必要がなく、ユーザーの手間を省くことができる。
【００７１】
また、第２の実施形態では、ファイル名規則により親画像と子画像とを選別し、親画像のみをスライド表示する。したがって、同一絵柄の親画像と子画像とが冗長に繰り返し表示されることがなく、ユーザーは、なるべく短時間に一通りの画像を観ることができる。
【００７２】
《実施形態の補足事項》
なお、上述した実施形態では、親画像を低解像度化して子画像を生成している。しかしながら、本発明はこれに限定されるものではない。例えば、親画像を減色して子画像を生成してもよい。
【００７３】
また、上述した実施形態では、ファイル名規則を用いて、親画像と子画像とを区別している。しかしながら、本発明はこれに限定されるものではない。例えば、画像ファイルを格納するフォルダー、ファイルのヘッダ情報、ファイル管理情報、または画像サイズなどを利用して、親画像と子画像とを区別してもよい。
【００７４】
【発明の効果】
《請求項１》
請求項１の電子カメラでは、親画像と子画像の選別を行い、子画像を非表示とする。このように、画面上で子画像を非表示（隠蔽）にすることにより、同一絵柄の親画像と子画像が画面に現れてユーザーが混乱するといった事態を確実に防止することができる。
また、子画像を非表示とすることで、表示する画像の数自体が減少する。したがって、ユーザーは、数少ない表示画像の中から、目的の絵柄の画像を迅速に見つけ出すことが可能になる。
【００７５】
《請求項２》
請求項２の電子カメラでは、子画像の表示にあたり、子画像の画像サイズを情報表示する。したがって、ユーザーは、同一絵柄の親画像と子画像とを、画像サイズの情報表示から適切に判別することが可能になる。
【００７６】
《請求項３》
請求項３の電子カメラでは、親画像の表示中に、予め決められたユーザー操作が為されると、その親画像に対応する子画像を表示する。この場合、親画像→子画像といった順番で表示されるため、ユーザーは、同一絵柄の親画像と子画像とを、表示順序から適切に判別することが可能になる。
さらに、請求項３の電子カメラでは、同一の親画像から生成された子画像が複数存在する場合、ユーザー操作に従って画像サイズ順に子画像を表示する。したがって、ユーザーは、同一絵柄である複数の子画像についても、表示順序の観点から、画像サイズの大小を適切に判別することが可能になる。
【００７７】
《請求項４》
請求項４の電子カメラでは、親画像が非表示に設定されている場合、その親画像を元に生成された子画像も非表示とする。したがって、ユーザーは、非表示の親画像と同一絵柄の子画像を改めて非表示に設定する必要がなく、ユーザーの手間を省くことが可能になる。
【００７８】
《請求項５》
請求項５の電子カメラでは、親画像と子画像の識別を行い、親画像と子画像とを画面上に同時に表示しない。したがって、同一絵柄の親画像と子画像とが同一画面上に混在表示されることがなくなり、画像の区別がつかずにユーザーが混乱するといった事態を防止することができる。
また、同一絵柄の親画像と子画像を同時表示しないので、なるべく絵柄の異なる画像を同時に表示することが可能になる。したがって、ユーザーは、多様な絵柄の画像を一覧表示した中から、目的の絵柄の画像を迅速に見つけ出すことが可能になる。
【００７９】
《請求項６》
請求項６の電子カメラでは、親画像と子画像との選別を行い、親画像のみを自動的に順次表示（いわゆるスライド表示）する。したがって、同一絵柄の親画像と子画像とを冗長にスライド表示することがない。その結果、ユーザーは、なるべく短時間に一通りの画像を観ることが可能になる。（あるいは、全体の表示時間を延ばさずに、１コマ当たりの表示時間を延ばすことが可能になり、じっくりと一通りの画像を観ることが可能になる。）
【図面の簡単な説明】
【図１】電子カメラ１１の外観図である。
【図２】電子カメラ１１の内部構成を説明するブロック図である。
【図３】第１の実施形態における全画面表示モードの動作を説明する流れ図である。
【図４】サムネイル表示モードの動作を説明する流れ図である。
【図５】全画面表示モードの表示画面を示す図である。
【図６】サムネイル表示モードの表示画面を示す図である。
【図７】第２の実施形態における全画面表示モードの動作を説明する流れ図である。
【図８】全画面表示モードの表示画面を示すモニタ上の中間調画像の写真である。
【図９】第２の実施形態におけるスライド表示モードの動作を説明する流れ図である。
【符号の説明】
１１  電子カメラ
１２  撮影レンズ
１３  撮像素子
１３ａ  タイミングジェネレータ
１４  画像処理部
１５  Ａ／Ｄ変換部
１６  ＤＳＰ
１７  データバス
１８  バッファメモリ
１９  メモリカード
２０  システムバス
２１  ＭＰＵ
２２  レリーズ釦
２３  十字釦
２３ａ  上キー
２３ｂ  下キー
２３ｃ  左キー
２３ｄ  右キー
２４  メニュー釦
２５  コマンドダイヤル
２６  ズーム釦
２７  表示切換釦
２８  転送釦
２９  子画像作成釦
２９ａ  確定キー
３０  フレームメモリ
３１  液晶表示部
３２  インターフェース
【図１】
0004608824.tif 000002
【図２】
0004608824.tif 000003
【図３】
0004608824.tif 000004
【図４】
0004608824.tif 000005
【図５】
0004608824.tif 000006
【図６】
0004608824.tif 000007
【図７】
0004608824.tif 000008
【図８】
0004608824.tif 000009
【図９】
0004608824.tif 000010